(57)【要約】【課題】休止区間のある高周波信号を、伝送路を通して反射の影響なく伝送する。【解決手段】内視鏡基部１３に設けられたドライブ回路２１から、撮像素子２３の水平駆動信号の１／４波長よりも長いセンサ駆動信号伝送経路２５Ａ、２５Ｂを介して先端部１１Ａまでセンサ駆動信号を伝送する。休止区間を有する水平駆動信号は、周波数信号が連続する高周波連続信号と休止区間に対応するゲート信号に分けて先端部１１Ａへと伝送する。先端部１１Ａにゲート回路２４Ａを設ける。ゲート回路２４Ａにおいて、高周波連続信号とゲート信号に基づいて休止区間を有する水平駆動信号を生成し撮像素子２３へと出力する。【選択図】図２
2011254421.tif 000002
【特許請求の範囲】
【請求項１】
相対的に周波数が高い高周波数信号を連続して出力するとともに前記高周波数信号に休止区間を設けるための相対的に周波数が低い低周波数信号を出力する送信回路と、
前記送信回路にその一端が接続され、前記高周波数信号と前記低周波数信号を前記高周波数信号の１／４波長よりも長い距離伝送する伝送経路と、
前記伝送経路の他端に接続され、前記高周波数信号と前記低周波数信号から前記休止区間が設けられた高周波数信号を生成し出力する受信回路と
を備えることを特徴とする信号伝送装置。
【請求項２】
前記低周波数信号が、前記休止区間にのみオンされる信号であり、前記受信回路が前記高周波数信号と前記低周波数信号の反転信号の論理積を取ることで前記休止区間が設けられた高周波数信号を生成することを特徴とする請求項１に記載の信号伝送装置。
【請求項３】
前記休止区間が設けられた高周波数信号が撮像素子の水平駆動信号であることを特徴とする請求項１に記載の信号伝送装置。
【請求項４】
前記低周波数信号が、撮像素子の垂直駆動信号であることを特徴とする請求項１に記載の信号伝送装置。
【請求項５】
前記低周波数信号が、前記休止区間にのみオンまたはオフされる信号であり、前記受信回路が前記高周波数信号と前記低周波数信号から撮像素子の垂直駆動信号を生成することを特徴とする請求項１に記載の信号伝送装置。
【請求項６】
請求項１〜請求項５の何れか一項に記載の信号伝送装置を備えることを特徴とする電子内視鏡。
【発明の詳細な説明】
【技術分野】
【０００１】
本発明は、伝送経路を介して休止区間を有する高周波信号を伝送する信号伝送装置に関し、特に電子内視鏡の撮像素子へ水平駆動信号を伝送する信号伝送装置に関する。
【背景技術】
【０００２】
例えば電子内視鏡では、挿入部先端に設けられた撮像素子からの映像信号をスコープ基端部に接続されるカメラコントロールユニット（プロセッサ装置）へと送り、所定の映像信号処理を施した後、モニタに表示する。挿入部先端は極めてスペースが限られるため、撮像素子を駆動するための駆動回路や映像信号を処理のための主なデバイスは、プロセッサ装置やスコープ基端部側の適当な場所（プロセッサ装置への接続を行うコネクタを備える内視鏡基部など）に配置される。このため、撮像素子駆動のためのタイミング信号は、挿入部先端とプロセッサ装置とを結ぶ数メートルに及ぶ信号ケーブルを通して撮像素子へと送られ、得られた映像アナログ信号も、信号ケーブルを介してプロセッサ装置やスコープ基端部側へと送られる（特許文献１）。
【先行技術文献】
【特許文献】
【０００３】
【特許文献１】特許第２８９４３５２号公報
【発明の概要】
【発明が解決しようとする課題】
【０００４】
しかし、水平駆動信号などの高周波信号は波長が短いため、信号ケーブル（伝送路）が３〜４メートル程度でもその長さは信号伝送路における信号の１／４波長よりも長くなり、信号伝送路内における反射による影響が大きくなる。また、水平駆動信号などのタイミング信号には、撮像素子の仕様に合わせて休止区間を設ける必要がある。このような信号では、伝送路両端における反射の影響で、休止区間が始まる部分、あるいは終わる部分において、波形信号が連続する部分とは異なる歪みが発生する。これにより信号のデューティ比が誤認識され、撮像素子を仕様通りに駆動できないことがある。また、一般に反射の影響を無くすには、伝送路の特性インピーダンスに応じた終端を行う対策をとるが、正規の終端を行うと伝送信号の振幅が半分になってしまうと言う欠点が有る。
【０００５】
本発明は、休止区間のある高周波信号を、伝送路を通して損失を無くした上で反射の影響なく伝送することを課題としている。
【課題を解決するための手段】
【０００６】
本発明の信号伝送装置は、相対的に周波数が高い高周波数信号を連続して出力するとともに高周波数信号に休止区間を設けるための相対的に周波数が低い低周波数信号を出力する送信回路と、送信回路にその一端が接続され、高周波数信号と低周波数信号を高周波数信号の１／４波長よりも長い距離伝送する伝送経路と、伝送経路の他端に接続され、高周波数信号と低周波数信号から休止区間が設けられた高周波数信号を生成し出力する受信回路とを備えたことを特徴としている。
【０００７】
低周波数信号は、例えば休止区間にのみオンされる信号であり、受信回路は、高周波数信号と低周波数信号の反転信号の論理積を取ることで休止区間が設けられた高周波数信号を生成する。休止区間が設けられた高周波数信号は、例えば撮像素子の水平駆動信号である。
【０００８】
低周波数信号は、例えば撮像素子の垂直駆動信号である。また、低周波数信号が、例えば休止区間にのみオンまたはオフされる信号であり、受信回路は高周波数信号と低周波数信号から撮像素子の垂直駆動信号を生成する。
【０００９】
また、本発明の電子内視鏡は、上記信号伝送装置を備えたことを特徴としている。
【発明の効果】
【００１０】
本発明によれば、休止区間のある高周波信号を、伝送路を通して反射の影響なく伝送することができる。
【図面の簡単な説明】
【００１１】
【図１】本発明の一実施形態である電子内視鏡（スコープ本体）の構成を示す模式的な外観図である。
【図２】本実施形態のスコープ本体の電気的な構成を模式的に示すブロック図である。
【図３】休止区間を有する高周波信号を１／４波長よりも長い伝送経路を介して伝送するときに発生する問題を説明するための波形図である。
【図４】挿入部の先端部に設けられたゲート回路の構成を示す回路図である。
【図５】ドライブ回路、伝送経路、ゲート回路を通して水平駆動信号が形成される過程を説明する波形図である。
【図６】変形例の電子内視鏡の電気的な構成を示すブロック図である。
【図７】第２実施形態のスコープ本体の電気的な構成を模式的に示すブロック図である。
【図８】第２実施形態のゲート回路の構成を示す回路図である。
【図９】図８のゲート回路の動作を説明するためのタイミングチャートである。
【図１０】第３実施形態のスコープ本体の電気的な構成を模式的に示すブロック図である。
【図１１】第３実施形態のゲート回路の構成を示す回路図である。
【図１２】図１１のゲート回路の動作を説明するためのタイミングチャートである。
【発明を実施するための形態】
【００１２】
以下、本発明の実施の形態を、図面を参照して説明する。図１は、本発明の第１実施形態である電子内視鏡の構成を示す模式的な外観図である。
【００１３】
電子内視鏡システムは、スコープ本体（電子内視鏡）１０と、スコープ本体１０が接続され、各種画像処理を行うとともに、スコープ本体１０に照明光を供給するプロセッサ装置（図示せず）と、プロセッサ装置に接続され、スコープ本体１０で撮影された映像を表示するモニタ装置（図示せず）などから一般に構成される。図１には、スコープ本体（電子内視鏡）１０の外観が示される。
【００１４】
スコープ本体１０は、体内や管孔内に挿入される可撓性を有する管状の挿入部１１と、挿入部１１の基端部に設けられ、ユーザによって保持され、操作される操作部１２と、操作部１２をプロセッサ装置（図示せず）に連結するための内視鏡基部１３と、操作部１２と内視鏡基部１３の間を連絡するユニバーサルコード１４とから構成される。従来周知のように、挿入部１１の先端部１１Ａには撮像素子（図２参照）が設けられ、先端部１１Ａから照射される照明光により、被写体の映像が撮像素子により撮影される。なお、照明光は通常スコープ本体１０内に配設されたライトガイドを通してプロセッサ装置から供給される。
【００１５】
図２は、図１に示されたスコープ本体１０の電気的な構成を模式的に示すブロック図である。なお、図示されないが、照明光に係る光学的構成は、例えばライトガイドを用いた従来周知のものであり、本実施形態の場合、プロセッサ装置内に設けられた光源からライトガイドを介して挿入部１１の先端部１１Ａにまで光が伝送される。しかし、プロセッサ装置外に別体の光源装置を設ける構成とすることも、また、ＬＥＤ等の光源を先端部１１Ａに設け、照明光を直接照射する構成とすることもできる。
【００１６】
本実施形態の内視鏡基部１３には、例えばＩ／Ｏポート１５、制御回路１６、システムクロックジェネレータ１７、信号処理回路（ＤＳＰ）１８、電源回路１９、センサ駆動信号伝送用のドライブ回路（送信回路）２１、映像信号を受信するアナログフロントエンド（ＡＦＥ）２２などが設けられる。内視鏡基部１３は、コネクタを含むＩ／Ｏポート１５を介してプロセッサ装置（図示せず）に電気的に接続される。Ｉ／Ｏポート１５には、制御回路１６、システムクロックジェネレータ１７、信号処理回路（ＤＳＰ）１８、電源回路１９等が接続される。
【００１７】
制御回路１６はスコープ本体１０全般の制御を行うもので、各デバイスとの間において、必要に応じてデータの遣り取りを行う。また、システムクロックジェネレータ１７は、スコープ本体１０内で必要とされる様々なクロック信号の生成を行う。例えば、システムクロックジェネレータ１７からは、ドライブ回路２１や信号処理回路（ＤＳＰ）１８にも、必要とされる信号が出力される。
【００１８】
挿入部１１（図１参照）の先端部１１Ａには、ＣＣＤやＣＭＯＳなどの撮像素子２３が設けられる。撮像素子２３は、水平駆動信号に関しては先端部１１Ａに設けられたゲート回路（受信回路）２４から信号を受け取り、垂直駆動信号などその他の駆動信号に関しては、センサ駆動信号伝送経路２５Ａを通してドライブ回路２１からの信号を受け取る。
【００１９】
ゲート回路２４Ａは、センサ駆動信号伝送経路２５Ｂを介してドライブ回路２１に接続されており、ゲート回路２４Ａは、後述するように、ドライブ回路２１から送信される周波数信号およびゲート信号（休止信号）に基づいて水平駆動信号を生成し、撮像素子２３に出力する。なお、先端部１１Ａの各デバイスには、電源伝送経路２８を介して電源回路１９から電力が供給される。
【００２０】
被写体像は、撮像レンズ２６を介して撮像素子２３において撮像される。撮像素子２３は、映像信号伝送経路２７を介して内視鏡基部１３に設けられたアナログフロントエンド（ＡＦＥ）２２に接続され、撮像素子２３からのアナログ映像信号は、アナログフロントエンド２２を通してデジタルの映像信号に変換され、信号処理回路（ＤＳＰ）１８へと出力される。信号処理回路１８では、入力された映像信号に対して所定の画像処理が施され、その後Ｉ／Ｏポート１５を介してプロセッサ装置へと送出される。
【００２１】
なお、アナログフロントエンド２２は、例えば初段増幅回路、相関二重サンプリング回路、ＡＤコンバータを備え、映像信号伝送経路２７からのアナログ映像信号は、初段増幅回路で所定のゲインで増幅された後、相関二重サンプリング回路においてサンプリングされ、ＡＤコンバータにおいてデジタル映像信号に変換される。
【００２２】
次に図３を参照して、休止区間が設けられた高周波信号を、高周波信号の例えば１／４波長よりも長い伝送経路を介して伝送する場合の問題点について説明する。図３（ａ）は、伝送経路に入力される休止区間を有する高周波信号の波形を示し、図３（ｂ）は、図３（ａ）の信号が伝送経路から出力されるときの波形を示す。また、図３（ｃ）は、図３（ｂ）の信号に基づき撮像素子において認識される信号の波形図である。
【００２３】
伝送経路を介した図３（ａ）の信号は、伝送経路両端での信号の反射に影響されて図３（ｂ）のように、各パルスで歪みが発生する。特に図３（ｂ）の円で囲まれた領域、すなわち休止区間Ｒが終了し、周波数信号が連続する区間Ｃに入った直後においては、波形の歪みが通常の周波数信号連続区間Ｃよりも大きい。このため、撮像素子では図３（ｃ）のように、この領域の周波数信号のデューティ比が本来とは異なる大きさとして検出される。これにより、例えばＣＣＤでは転送レジスタを適正に駆動することができず、電荷転送不良が発生する。また、ＣＭＯＳにおいても映像信号の読み出し動作に悪影響がある。
【００２４】
撮像素子の駆動信号としては、通常水平駆動信号が最も周波数が高く（例えば２０ＭＨｚ）、センサ駆動信号伝送経路２５Ａ、２５Ｂの長さは水平駆動信号の１／４波長よりも一般に長くなる。このため、本実施形態では、休止区間を有する水平駆動信号をドライブ回路２１から出力し、これを内視鏡基部１３から伝送経路を介して撮像素子に送るのではなく、高周波が連続する高周波連続信号（休止区間なし）と、休止区間のみオン（ハイ）またはオフ（ロー）するゲート信号（休止信号）を、センサ駆動信号伝送経路２５Ｂを介して先端部１１Ａまで送り、先端部１１Ａのゲート回路２４Ａにおいて、これらの信号に基づいて水平駆動信号を生成する。
【００２５】
次に図４、図５を参照して、ゲート回路２４Ａの構成、およびゲート回路２４Ａにおける水平駆動信号生成方法について説明する。なお、図４は、ゲート回路２４Ａの回路図である。また、図５（ａ）は、ドライブ回路２１（図２参照）から出力される高周波連続信号（ＨＤ−ＣＬＫ１）、およびゲート信号（Ｇａｔｅ１）の波形を示し、図５（ｂ）は、センサ駆動信号伝送経路２５Ｂから出力され、ゲート回路２４Ａに入力される図５（ａ）の高周波連続信号（ＨＤ−ＣＬＫ１）、およびゲート信号（Ｇａｔｅ１）の波形を示す。また、図５（ｃ）は、ゲート回路２４Ａにおいて整形、変換された図５（ｂ）に対応する高周波連続信号（ＨＤ−ＣＬＫ２）、ゲート信号（Ｇａｔｅ２）と、これらの信号から生成され、ゲート回路２４Ａから出力される水平駆動信号（ＨＤ−ＣＬＫ）の波形を示す。
【００２６】
図４に示されるように、センサ駆動信号伝送経路２５Ｂから出力された図５（ｂ）に示される高周波連続信号（ＨＤ−ＣＬＫ１）は、バッファ２９を介して波形整形され、高周波連続信号（ＨＤ−ＣＬＫ２）としてＡＮＤ回路３０に入力される。一方、センサ駆動信号伝送経路２５Ｂから出力された図５（ｂ）のゲート信号（Ｇａｔｅ１）は、インバータ３１を介して波形整形されるとともに反転され、ゲート信号（Ｇａｔｅ２）としてＡＮＤ回路３０に入力される。すなわち、ＡＮＤ回路３０では、高周波連続信号（ＨＤ−ＣＬＫ２）とゲート信号（Ｇａｔｅ２）のＡＮＤが取られ、水平駆動信号（ＨＤ−ＣＬＫ）が出力される。
【００２７】
以上のように、第１実施形態によれば、長さが送信周波数の１／４波長を越える伝送経路を通して、休止区間を有する高周波信号を反射の影響なく極めて簡略な構成で伝送することができる。
【００２８】
なお、図６に第１実施形態の変形例を示す。図６は、変形例におけるスコープ本体１０’の電気的な構成を示すブロック図である。第１実施形態ではドライブ回路２１が内視鏡基部１３に設けられたが、変形例では操作部１２’に設けられ、内視鏡基部１３’のシステムクロックジェネレータ１７からのクロック信号に基づいて、高周波連続信号（ＨＤ−ＣＬＫ１）やゲート信号（Ｇａｔｅ１）等をセンサ駆動信号伝送経路２５Ａ、２５Ｂに出力する。なお、その他の構成は実施形態と同様であり、変形例の構成においても実施形態と同様の効果を得ることができる。
【００２９】
次に、図７〜図９を参照して本発明の第２実施形態について説明する。なお以下の説明では、第１実施形態と異なる構成を中心に説明を行い、第１実施形態と同様の構成については同一参照番号を用い、その説明を省略する。なお、図７は第２実施形態のスコープ本体の電気的な構成を模式的に示すブロック図であり、図８は、第２実施形態のゲート回路の構成を示す回路図である。また、図９は、図８のゲート回路の動作を説明するためのタイミングチャートである。
【００３０】
第１実施形態では、ドライブ回路２１から高周波連続信号（ＨＤ−ＣＬＫ１）およびゲート信号（Ｇａｔｅ１）が、センサ駆動信号伝送経路２５Ｂを介して先端部１１Ａのゲート回路２４Ａ へと送られ、これらの信号に基づいて撮像素子２３へと供給される水平駆動信号（ＨＤ−ＣＬＫ）が生成された。一方、第２実施形態では、ゲート信号（Ｇａｔｅ１）の代わりに１つの垂直駆動信号（Ｖ−Ｓｙｎｃ＿Ｎ）を用いて水平駆動信号（ＨＤ−ＣＬＫ）が生成される。なお、垂直駆動信号（Ｖ−Ｓｙｎｃ＿Ｎ）のＮはＮ番目の垂直駆動信号を表し、ここではその中の１つが水平駆動信号（ＨＤ−ＣＬＫ）の生成に用いられる。
【００３１】
すなわち、図７に示される内視鏡基部１３Ｂのドライブ回路２１Ｂからは垂直駆動信号（Ｖ−ｓｙｎｃ＿Ｎ）および高周波連続信号（ＨＤ−ＣＬＫ１）が出力され、垂直駆動信号（Ｖ−ｓｙｎｃ＿Ｎ）は、センサ駆動信号伝送経路２５Ｃを介して先端部１１Ｂのゲート回路２４Ｂおよび撮像素子２３へと送られ、高周波連続信号（ＨＤ−ＣＬＫ１）は、センサ駆動信号伝送経路２５Ｄを介してゲート回路２４Ｂへと送られる。ゲート回路２４Ｂでは、高周波連続信号（ＨＤ−ＣＬＫ１）および垂直駆動信号（Ｖ−ｓｙｎｃ＿Ｎ）に基づいて水平駆動信号（ＨＤ−ＣＬＫ）が生成される。
【００３２】
図８に示されるように、高周波連続信号（ＨＤ−ＣＬＫ１）はゲート回路２４Ｂのバッファ３２を介して波形整形され、図９（ａ）に示される高周波連続信号（ＨＤ−ＣＬＫ２）としてインバータ３３の入力端子、およびカウンタ３４、３５のクロック端子（ＣＬＫ）に入力される。カウンタ３４のイネーブル端子（Ｅｎａｂｌｅ）には、バッファ３６を介して図９（ｂ）に示される垂直駆動信号（Ｖ−ｓｙｎｃ＿Ｎ）が整形されて入力される。また、カウンタ３５のイネーブル端子（Ｅｎａｂｌｅ）には、カウンタ３４から出力される図９（ｃ）のカウンタ信号（ＣＯＵＮＴ１）が入力される。
【００３３】
カウンタ３４、３５では、イネーブル端子（Ｅｎａｂｌｅ）がＨｉになると、クロック端子（ＣＬＫ）に入力される信号の立ち上がりエッジのカウントが開始される。立ち上がりエッジ数のカウントが一旦開始されると、カウント値がユーザにより設定された所定値（最大カウント値）に達するまで継続され、カウントが行われている間、Ｈｉとなり、それ以外においてＬｏとなるカウンタ信号が出力される。
【００３４】
図９（ｃ）、（ｄ）には、カウンタ３４、３５から出力されるカウンタ信号（ＣＯＵＮＴ１、ＣＯＵＮＴ２）が示される。また、各カウンタ３４、３５においてイネーブル端子（Ｅｎａｂｌｅ）がＨｉにされ、カウントが開始されてから設定された最大カウント値に達するまでの期間がそれぞれＴ１、Ｔ２として示される。
【００３５】
カウンタ３４から出力されるカウンタ信号（ＣＯＵＮＴ１）は、インバータ３７を介してアンド回路３８の一方の入力端子に入力される。また、アンド回路３８の他方の入力端子には、カウンタ３５から出力されるカウンタ信号（ＣＯＵＮＴ２）が入力される。すなわち、アンド回路３８では、カウンタ３４のカウンタ信号（ＣＯＵＮＴ１）の反転信号とカウンタ３５のカウンタ信号（ＣＯＵＮＴ２）の論理積が取られ、図９（ｅ）に示されるゲート信号（Ｇａｔｅ２）として出力される。
【００３６】
ゲート信号（Ｇａｔｅ２）は、アンド回路３９の一方の入力端子に入力され、アンド回路３９の他方の入力端子には、バッファ３２から出力された高周波連続信号（ＨＤ−ＣＬＫ２）が、インバータ３３を介して反転され、図９（ｆ）に示される反転高周波連続信号（ＨＤ−ＣＬＫ３）として入力される。したがって、アンド回路３９では、反転高周波連続信号（ＨＤ−ＣＬＫ３）とゲート信号（Ｇａｔｅ２）の論理積が取られ、図９（ｇ）に示される垂直駆動信号（ＨＤ−ＣＬＫ）が生成され、撮像素子２３へと出力される。
【００３７】
以上のように、第２実施形態によれば、休止区間に対応して、各カウンタの最大カウント値を予め設定しておけば、水平駆動信号の周波数に対応する高周波連続信号と、垂直駆動信号から、休止区間を有する水平駆動信号を先端部において生成することができ、第１実施形態と同様の効果を得ることができる。
【００３８】
次に図１０〜図１２を参照して、本発明の第３実施形態について説明する。第３実施形態では、高周波連続信号ＨＤ−ＣＬＫ１と、第１実施形態で説明したゲート信号（Ｇａｔｅ１）から水平駆動信号ＨＤ−ＣＬＫ、および垂直駆動信号Ｖ−Ｓｙｎｃ＿Ｎを生成する。したがって、第３実施形態の構成は、ゲート回路の構成の違いを除き、第１実施形態と同様である。
【００３９】
図１０は、第３実施形態のスコープ本体５０の電気的な構成を模式的に示すブロック図であり、図１１に図１０に示されるゲート回路の構成を示す。また、図１２に、図１１のゲート回路の動作を説明するためのタイミングチャートを示す。
【００４０】
図１０に示されるように、ドライブ回路２１から出力された高周波連続信号（ＨＤ−ＣＬＫ１）およびゲート信号（Ｇａｔｅ１）は、センサ駆動信号伝送経路２５Ｂを伝送され、先端部１１Ｃに設けられたゲート回路２４Ｃに入力される。高周波連続信号（ＨＤ−ＣＬＫ１）は、バッファ２９を介して整形されアンド回路３０に出力され、ゲート信号（Ｇａｔｅ１）は、バッファ４１を介してインバータ３１に出力される。バッファ２９、アンド回路３０、インバータ３１は、第１実施形態のゲート回路２４Ａに対応する構成であり、高周波連続信号（ＨＤ−ＣＬＫ１）の整形信号である図１２（ａ）に示される高周波連続信号（ＨＤ−ＣＬＫ２）と、ゲート信号（Ｇａｔｅ１）の反転信号である図１２（ｂ）に示されるゲート信号（Ｇａｔｅ２）の論理積から、図１２（ｃ）水平駆動信号（ＨＤ−ＣＬＫ）が生成され、撮像素子２３へと出力される。
【００４１】
また、バッファ２９から出力された高周波連続信号（ＨＤ−ＣＬＫ２）は、ブロック１〜４に設けられたカウンタ４２のクロック端子（ＣＬＫ）に入力され、バッファ４１から出力された整形されたゲート信号は、ブロック１〜４に設けられたカウンタ４２のイネーブル端子（Ｅｎａｂｌｅ）に入力される。
【００４２】
カウンタ４２は、第２実施形態で用いられたカウンタ３４、３５と同種のもので、イネーブル端子（Ｅｎａｂｌｅ）がＨｉになると、クロック端子（ＣＬＫ）に入力される信号の立ち上がりエッジのカウントが開始される。エッジのカウントはカウント値がユーザにより設定された所定値（最大カウント値）に達するまで継続され、その間カウンタ４２からは、カウンタ信号としてＨｉが出力され、それ以外ではＬｏが出力される。なお、ブロック２〜４の構成はブロック１と同様であり、カウント値の設定のみが異なるので、図１１ではブロック１の構成のみが示され、図１２では、ブロック１、２の動作を示すタイミングチャートのみが示される。
【００４３】
また、バッファ４１からのゲート信号（Ｇａｔｅ１に対応）は、Ｄ型フリップフロップ４３のリセット端子（Ｒｅｓｅｔ）にも入力される。Ｄ型フリップフロップ４３のクロック端子（ＣＬＫ）には、図１２（ｄ）に示されるカウンタ４２のカウンタ信号（ＣＯＵＮＴ１＿１）をインバータ４４で反転した信号が入力される。また、データ入力端子（Ｄａｔａ）には、−Ｑ端子の出力が帰還され、Ｑ端子からは図１２（ｅ）に示されるフリップフロップ信号（ＤＦＦ１）がカウンタ４５のイネーブル端子（Ｅｎａｂｌｅ）へと出力される。
【００４４】
カウンタ４５は、カウンタ４２と同種のカウンタであり、そのクロック端子（ＣＬＫ）にはバッファ２９からの高周波連続信号（ＨＤ−ＣＬＫ２）をインバータ４６で反転した信号が入力される。これにより、カウンタ４５では、図１２（ｆ）に示される第１垂直駆動信号（Ｖ−Ｓｙｎｃ＿１）が生成され、撮像素子２３へと出力される。
【００４５】
なお、図１２（ｇ）〜（ｉ）に、第２ブロックのカウンタ４２（図示せず）からの出力であるカウンタ信号（ＣＯＵＮＴ１＿２）、第２ブロックのＤ型フリップフロップ４３（図示せず）のＱ出力であるフリップフロップ信号（ＤＥＦ２）、およびカウンタ４５（図示せず）で生成される第２垂直動機信号（Ｖ−Ｓｙｎｃ＿２）をそれぞれ示す。また、図１２において、第１ブロックのカウンタ４２、４５におけるカウント期間をＴ１１、Ｔ１２として示し、第２ブロックのカウンタ４２、４５（図示せず）におけるカウント期間をＴ２１、Ｔ２２としてそれぞれ示す。
【００４６】
以上のように、第３実施形態においても、第１実施形態と同様の効果が得られ、更に、垂直駆動信号も高周波連続信号とゲート信号から先端部において生成できるので、信号伝送のためのケーブルの数を減らすことができる。なお、第２実施形態の構成を第３実施形態に適用することも可能である。
【００４７】
本実施形態では電子内視鏡を例に説明を行ったが、電子内視鏡以外の装置においても、長さが送信周波数の１／４波長を越える伝送経路を通して休止区間を有する高周波信号を伝送する場合に本発明を適用できる。また、第１、第３実施形態において伝送されるゲート信号は休止区間に対応する期間のみオンされる信号であったが、逆にその期間のみオフされる信号を利用することも可能である。
【００４８】
なお、本明細書における「波長」は、信号伝送経路の誘電率と透磁率よって決まる「波長短縮率」を考慮した値を指し、「高周波」とは、伝送路の長さＬとの関係において反射の影響が問題となる周波数であり、波長短縮率をｐ、光の速度をＣとすると、（ｐ・Ｃ）／（４・Ｌ）よりも高い周波数である。
【符号の説明】
【００４９】
１０、４０、５０  スコープ本体（電子内視鏡）
１１  挿入部
１１Ａ、１１Ｂ、１１Ｃ  先端部
１２、１２’  操作部
１３  内視鏡基部
１４  ユニバーサルコード
１９  電源回路
２１  ドライブ回路
２２  アナログフロントエンド（ＡＦＥ）
２３  撮像素子
２４Ａ、２４Ｂ、２４Ｃ  ゲート回路
２５Ａ、２５Ｂ、２５Ｃ、２５Ｄ  センサ駆動信号伝送経路
【図１】
2011254421.tif 000003
【図２】
2011254421.tif 000004
【図３】
2011254421.tif 000005
【図４】
2011254421.tif 000006
【図５】
2011254421.tif 000007
【図６】
2011254421.tif 000008
【図７】
2011254421.tif 000009
【図８】
2011254421.tif 000010
【図９】
2011254421.tif 000011
【図１０】
2011254421.tif 000012
【図１１】
2011254421.tif 000013
【図１２】
2011254421.tif 000014